(57)【要約】【課題】映像機器の映像信号出力を自動的に適切なテレビジョン方式に切り換えてテレビジョン方式が異なるテレビ受像器においても映像の再生表示を可能にする。【解決手段】映像処理装置を含む画像端末装置２１は、放送波を受信する放送系高周波受信部２０１、放送系高周波受信部２０１の高周波出力を検波してベースバンド処理することで復調を行い、複合映像信号を生成する放送系復号化部２０２、放送系復号化部２０２より出力される複合映像信号を用いて放送波のテレビジョン方式を検出、識別するテレビジョン方式検出部２０３、テレビジョン方式検出部２０３の識別結果を基に出力されるテレビジョン方式切換信号２２１によって映像信号のテレビジョン方式を受信した放送波のテレビジョン方式に変換するテレビジョン方式変換部２０４を備える。【選択図】　図１
2004135157.tif 000002
【特許請求の範囲】
【請求項１】
放送波を受信する放送波受信手段と、
前記放送波受信手段で受信した受信信号を復調する放送波復調手段と、
前記放送波復調手段で復調した映像信号を用いて前記放送波のテレビジョン方式を検出するテレビジョン方式検出手段と、
前記テレビジョン方式検出手段の検出結果に基づき、自装置より出力する映像信号のテレビジョン方式を前記放送波のテレビジョン方式に変換するテレビジョン方式変換手段と、
を備えたことを特徴とする映像処理装置。
【請求項２】
前記テレビジョン方式検出手段は、前記放送波復調手段が出力する複合映像信号のサブキャリアの周波数を検出するサブキャリア検出手段と、前記複合映像信号の垂直同期信号の周波数を検出する垂直同期信号検出手段とを有し、前記サブキャリア周波数と前記垂直同期信号周波数とにより前記放送波のテレビジョン方式を識別し、識別結果として該当するテレビジョン方式を表すテレビジョン方式切換信号を出力することを特徴とする請求項１に記載の映像処理装置。
【請求項３】
自装置の位置を検出する位置検出手段と、
前記位置検出手段で検出した位置情報に基づいて当該地域で使用されているテレビジョン方式を判定するテレビジョン方式判定手段と、
前記テレビジョン方式判定手段の判定結果に基づき、自装置より出力する映像信号のテレビジョン方式を自装置が位置する地域のテレビジョン方式に変換するテレビジョン方式変換手段と、
を備えたことを特徴とする映像処理装置。
【請求項４】
無線通信用の基地局から送信されたテレビジョン方式識別データが多重化された通信データを受信する通信波受信手段と、
前記通信波受信手段で受信した受信信号を復調する通信波復調手段と、
前記通信波復調手段で復調した通信データに多重されているテレビジョン方式識別データを分離するテレビジョン方式データ分離手段と、
前記テレビジョン方式データ分離手段の出力に基づき、自装置より出力する映像信号のテレビジョン方式を前記テレビジョン方式識別データによって設定されたテレビジョン方式に変換するテレビジョン方式変換手段と、
を備えたことを特徴とする映像処理装置。
【発明の詳細な説明】
【０００１】
【発明の属する技術分野】
本発明は、異なるテレビジョン方式の映像信号を出力可能なテレビジョン方式切り換え機能を有する映像処理装置に関する。
【０００２】
【従来の技術】
従来、画像端末装置、撮像装置、ビデオカメラ、デジタルスチルカメラ、ノート型パソコン等の可搬型の映像機器を持って世界各地へ旅行し、現地にあるテレビ受像器に映像機器を接続して映像を再生する場合には、映像機器とテレビ受像器のテレビジョン方式が一致していなければならなかった。例えば、日本で発売されているビデオカメラのテレビジョン方式はＮＴＳＣ方式が採用されている。アメリカや韓国といった同じＮＴＳＣ方式が採用されている国や地域へビデオカメラを持って行った場合は、テレビジョン方式が一致するため、現地にあるテレビ受像器に接続してビデオカメラで撮影した画像を再生することができる。しかし、ＰＡＬ方式を採用している（フランスを除く）ヨーロッパ地域やＳＥＣＡＭ方式を採用しているロシアやフランスに行った場合は、テレビジョン方式が異なるため、持って行ったビデオカメラで撮影した画像を現地にあるテレビ受像器で再生することはできない。
【０００３】
また、単一の映像機器で複数のテレビジョン方式に対応した映像信号を出力可能としたテレビジョン方式切り換え装置が知られている（例えば、特許文献１参照）。このような従来のテレビジョン方式切り換え装置の構成例を図７に示す。図７のテレビジョン方式切り換え装置は、ＮＴＳＣ方式とＰＡＬ方式との切り換えを可能にしたもので、映像信号処理部５０１、テレビジョン方式変換部５０２、ＮＴＳＣ方式用パルス発生回路５０４、ＰＡＬ方式用パルス発生回路５０５、テレビジョン方式選択スイッチ５０６を備えて構成される。この構成において、使用者が出力するテレビ受像器５０３に合わせてテレビジョン方式選択スイッチ５０６を切り換えることによりテレビジョン方式を選択すると、選択されたテレビジョン方式に対応するＮＴＳＣ方式用またはＰＡＬ方式用のパルス信号が映像信号処理部５０１及びテレビジョン方式変換部５０２に送られる。これにより、映像信号が所望のテレビジョン方式に変換されて出力され、テレビ受像器５０３において映像が正常に再生表示される。
【０００４】
【特許文献１】
特開平２０００−３２４４１号公報
【０００５】
【発明が解決しようとする課題】
しかしながら、上記のような従来のテレビジョン方式切り換え装置においては、テレビジョン方式の切り換えをテレビジョン方式選択スイッチ５０６の切り換えにより実施する必要があり、映像機器を持って行った現地のテレビジョン方式に応じて、映像機器の使用者が手動で切り換え操作してテレビジョン方式を設定しなければならなかった。このため、操作が煩雑であったり、操作ミスによって映像が正常に再生できないおそれがあるなどの問題があった。
【０００６】
本発明は、上記課題を解決するためになされたもので、その目的は、使用者がテレビジョン方式を意識することなく、適切なテレビジョン方式に自動的に切り換えて映像の再生を行うことが可能な映像処理装置を提供することにある。
【０００７】
【課題を解決するための手段】
本発明に係る映像処理装置は、放送波を受信する放送波受信手段と、前記放送波受信手段で受信した受信信号を復調する放送波復調手段と、前記放送波復調手段で復調した映像信号を用いて前記放送波のテレビジョン方式を検出するテレビジョン方式検出手段と、前記テレビジョン方式検出手段の検出結果に基づき、自装置より出力する映像信号のテレビジョン方式を前記放送波のテレビジョン方式に変換するテレビジョン方式変換手段と、を備えたことを特徴とする。
【０００８】
上記構成では、受信した放送波のテレビジョン方式を検出し、この検出結果に基づいて自装置より出力する映像信号のテレビジョン方式を前記放送波のテレビジョン方式に変換することによって、映像信号の出力先であるテレビ受像器などの映像機器のテレビジョン方式を使用者が意識することなく、その場所で使用されている適切なテレビジョン方式に自動的に切り換えることができる。このため、手動のテレビジョン方式切換操作や準備を必要とすることなく、接続した当該地域のテレビ受像器などにおいて出力映像を適切に再生表示することが可能となる。
【０００９】
また、前記テレビジョン方式検出手段は、前記放送波復調手段が出力する複合映像信号のサブキャリアの周波数を検出するサブキャリア検出手段と、前記複合映像信号の垂直同期信号の周波数を検出する垂直同期信号検出手段とを有し、前記サブキャリア周波数と前記垂直同期信号周波数とにより前記放送波のテレビジョン方式を識別し、識別結果として該当するテレビジョン方式を表すテレビジョン方式切換信号を出力することを特徴とする。
【００１０】
上記構成により、サブキャリア周波数と垂直同期信号周波数とによって世界中で使用されている殆どすべてのテレビジョン方式を識別してテレビジョン方式の自動切り換えを簡単に行うことができる。これによって、可搬型の映像機器をいずれの国や地域に持って行った場合でも、テレビジョン方式を意識することなく使用することが可能になる。
【００１１】
本発明に係る映像処理装置は、自装置の位置を検出する位置検出手段と、前記位置検出手段で検出した位置情報に基づいて当該地域で使用されているテレビジョン方式を判定するテレビジョン方式判定手段と、前記テレビジョン方式判定手段の判定結果に基づき、自装置より出力する映像信号のテレビジョン方式を自装置が位置する地域のテレビジョン方式に変換するテレビジョン方式変換手段と、を備えたことを特徴とする。
【００１２】
上記構成では、自装置の位置を検出し、この位置情報に基づいて自装置より出力する映像信号のテレビジョン方式を当該地域で使用されているテレビジョン方式に変換することによって、映像信号の出力先であるテレビ受像器などの映像機器のテレビジョン方式を使用者が意識することなく、映像機器が使用されている地域に合ったテレビジョン方式に自動的に切り換えることができる。このため、手動のテレビジョン方式切換操作や準備を必要とすることなく、接続した当該地域のテレビ受像器などにおいて出力映像を適切に再生表示することが可能となる。
【００１３】
本発明に係る映像処理装置は、無線通信用の基地局から送信されたテレビジョン方式識別データが多重化された通信データを受信する通信波受信手段と、前記通信波受信手段で受信した受信信号を復調する通信波復調手段と、前記通信波復調手段で復調した通信データに多重されているテレビジョン方式識別データを分離するテレビジョン方式データ分離手段と、前記テレビジョン方式データ分離手段の出力に基づき、自装置より出力する映像信号のテレビジョン方式を前記テレビジョン方式識別データによって設定されたテレビジョン方式に変換するテレビジョン方式変換手段と、を備えたことを特徴とする。
【００１４】
上記構成では、無線通信用の基地局から送られる通信データにテレビジョン方式を設定するためのテレビジョン方式識別データが多重化されている場合、このテレビジョン方式識別データを通信データから抽出して識別し、テレビジョン方式識別データに基づいて自装置より出力する映像信号のテレビジョン方式を当該地域で使用されているテレビジョン方式に変換する。これによって、映像信号の出力先であるテレビ受像器などの映像機器のテレビジョン方式を使用者が意識することなく、その地域に対応するテレビジョン方式に自動的に切り換えることができる。このため、手動のテレビジョン方式切換操作や準備を必要とすることなく、接続した当該地域のテレビ受像器などにおいて出力映像を適切に再生表示することが可能となる。
【００１５】
【発明の実施の形態】
以下、図面を参照して本発明の実施形態を説明する。
本実施形態では、映像処理装置の一例として、画像表示部及び撮像部を有して映像の表示及び撮像が可能な可搬型の映像機器である画像端末装置に適用した構成例を示す。
【００１６】
［第１実施形態］
図１は本発明の第１実施形態に係る画像端末装置を含む映像再生システムの構成を示すブロック図である。
【００１７】
第１実施形態の画像端末装置２１は、画像データを含む通信データを転送する無線通信用の基地局１との間で通信波を送受信する機能と、放送局５からの放送波を受信する機能とを有している。また、画像端末装置２１はテレビ受像器４と接続され、映像信号を出力してテレビ受像器４において映像を再生表示するための映像信号出力機能を有している。
【００１８】
この画像端末装置２１は、放送波を受信する放送系高周波受信部（放送波受信手段に相当する）２０１、放送系高周波受信部２０１の高周波出力を検波してベースバンド処理することで復調を行い、複合映像信号を生成する放送系復号化部（放送波復調手段に相当する）２０２、放送系復号化部２０２より出力される複合映像信号を用いて放送波のテレビジョン方式を検出、識別するテレビジョン方式検出部（テレビジョン方式検出手段に相当する）２０３、テレビジョン方式検出部２０３の識別結果を基に出力されるテレビジョン方式切換信号２２１によって映像信号のテレビジョン方式を異なるテレビジョン方式に変換するテレビジョン方式変換部（テレビジョン方式変換手段に相当する）２０４を備えている。
【００１９】
また、画像端末装置２１は、画像通信のための通信データを含む通信波を受信する通信系高周波受信部２０５、通信系高周波受信部２０５の高周波出力を検波してベースバンド処理することで通信データを復調、復号化する通信系復号化部２０６、通信系復号化部２０６より出力されるビットストリームから画像データを復号して再生用の映像信号２２０を生成する画像復号化部２０７、この映像信号２２０を表示するための液晶ディスプレイ等からなる画像表示部２０８を備えている。また、通信系復号化部２０６より出力されるビットストリームから音声データを復号して再生用の音声信号を生成する音声復号化部２０９、この音声信号を再生出力するスピーカ２１０を備えている。
【００２０】
さらに、画像端末装置２１は、被写体画像を撮像するためのカメラ部２１４、カメラ部２１４からの撮像出力をデジタルの画像データに変換する画像符号化部２１３、音声を入力して電気信号の音声信号に変換するマイク２１６、マイク２１６からの音声信号をデジタルの音声データに変換する音声符号化部２１５、画像符号化部２１３からの画像データと音声符号化部２１５からの音声データによるビットストリームを符号化、変調する通信系符号化部２１２、変調された通信データを送信する通信系高周波送信部２１１、カメラ部２１４で撮像した画像データまたは通信系高周波受信部２０５で受信した画像データを記録する画像記録部２６１を備えている。
【００２１】
図２は第１実施形態におけるテレビジョン方式検出部２０３を含む主要部の構成を示すブロック図である。テレビジョン方式検出部２０３は、放送系復号化部２０２から出力される複合映像信号（コンポジットビデオ信号）より、サブキャリア成分を取り出すサブキャリア分離部２３１と、垂直同期信号成分を取り出す垂直同期信号分離部２３６とを備えている。
【００２２】
また、ＮＴＳＣ方式のサブキャリアを検出するＮＴＳＣ方式サブキャリア検出部２３２、ＰＡＬ方式のサブキャリアを検出するＰＡＬ方式サブキャリア検出部２３３、ＳＥＣＡＭ方式の第１のサブキャリアを検出するＳＥＣＡＭ方式サブキャリア検出部Ａ２３４、ＳＥＣＡＭ方式の第２のサブキャリアを検出するＳＥＣＡＭ方式サブキャリア検出部Ｂ２３５を備えている。また、ＮＴＳＣ方式の垂直同期信号を検出するＮＴＳＣ方式垂直同期信号検出部２３７、ＰＡＬ方式またはＳＥＣＡＭ方式の垂直同期信号を検出するＰＡＬ／ＳＥＣＡＭ方式垂直同期信号検出部２３８を備えている。さらに、前記サブキャリア検出部（サブキャリア検出手段に相当する）２３２〜２３５と前記垂直同期信号検出部（垂直同期信号検出手段に相当する）２３７，２３８との出力をデコードしてテレビジョン方式切換信号２２１として出力するデコーダ２３９を備えている。このテレビジョン方式切換信号２２１は、識別結果に該当するテレビジョン方式を表すデータを含むものであり、例えば２ビットのデータで構成される。
【００２３】
次に、上記のように構成された画像端末装置２１におけるテレビジョン方式の切り換え動作を図１及び図２に基づいて説明する。
【００２４】
まず、放送系高周波受信部２０１は、放送局５からの放送波を選択して受信する。例えば、テレビ受像器における受信チャンネルの自動設定と同様に、放送波が含まれる周波数帯を低い周波数からスキャンして受信を行い、所定の受信レベルが得られる周波数の受信信号を放送波のチャンネルの受信信号として得る。
【００２５】
放送系復号化部２０２は、放送系高周波受信部２０１の高周波出力を検波し、ベースバンド処理して複合映像信号を生成する。テレビジョン方式検出部２０３は、放送系復号化部２０２の出力である複合映像信号から、サブキャリアの周波数と垂直同期信号の周波数とを検出し、これらの周波数の組み合わせを用いて放送波のテレビジョン方式を識別する。
【００２６】
ここで、世界で使用されているテレビジョン方式は、大別してＮＴＳＣ方式、ＰＡＬ方式、ＳＥＣＡＭ方式の三種類であり、色情報を伝達するサブキャリアの周波数と垂直同期信号の周波数との組み合わせは、次のようになる。
【００２７】
2004135157.tif 000003
上記のように、サブキャリア周波数は４種類、垂直同期信号周波数は２種類であり、これらの組み合わせよりテレビジョン方式を識別することができる。
【００２８】
このとき、テレビジョン方式検出部２０３は、まず、サブキャリア分離部２３１と垂直同期信号分離部２３６とにより、サブキャリア成分と垂直同期信号成分とを分離、抽出する。サブキャリア分離部２３１としては、複合映像信号から全てのサブキャリア周波数を通すバンドパスフィルタを用いればよい。また、垂直同期信号分離部２３６は、複合映像信号をクランプし映像信号をスライスして同期信号を取り出し、さらにこの同期信号から２つの垂直同期信号周波数を取り出すローパスフィルタによる回路で構成することができる。
【００２９】
そして、サブキャリア分離部２３１によって分離されたサブキャリアの周波数をＮＴＳＣ方式、ＰＡＬ方式、ＳＥＣＡＭ方式の各方式ごとに検出するためには、各方式のサブキャリア周波数が前記のように近接しているため、近接した周波数を識別できるフェーズロックドループ（　Ｐｈａｓｅ　Ｌｏｃｋｅｄ　Ｌｏｏｐ：ＰＬＬ）を用いてサブキャリア検出部を構成する。この場合、前記いずれかのサブキャリア周波数にロックした場合に論理“１”を出力するような、３つのテレビジョン方式に対応した４つのサブキャリア検出部２３２、２３３、２３４、２３５を設けるようにする。
【００３０】
また、垂直同期信号分離部２３６によって分離された垂直同期信号の周波数を各方式ごとに検出するためには、サブキャリア周波数の検出と同様に、各方式の垂直同期信号の周波数に対応したＰＬＬを用いた２つの垂直同期信号検出部２３７、２３８を設けて垂直同期信号検出部を構成する。
【００３１】
デコーダ２３９は、各テレビジョン方式のサブキャリア検出部２３２〜２３５の出力と垂直同期信号検出部２３７，２３８の出力との組み合わせをデコードしてテレビジョン方式切換信号２２１を出力するものである。例えば、テレビジョン方式変換部２０４が３つのテレビジョン方式を２ビットの信号で区別しているとすると、サブキャリア検出部２３２〜２３５と垂直同期信号検出部２３７，２３８の論理出力を６ｔｏ２で変換するデコーダを用いればよい。これにより、テレビジョン方式を表す２ビットのテレビジョン方式切換信号２２１がテレビジョン方式検出部２０３より出力される。
【００３２】
なお、放送系高周波受信部２０１で複数のチャンネルの放送波を受信してテレビジョン方式検出部２０３によってそれぞれの放送波のテレビジョン方式の識別を行うようにしてもよい。この場合、複数のテレビジョン方式が検出された場合であっても、最も数の多いテレビジョン方式を選択して識別結果とし、識別結果に応じたテレビジョン方式切換信号２２１を出力することができる。
【００３３】
テレビジョン方式変換部２０４は、テレビジョン方式検出部２０３の出力に基づき、画像復号化部２０７から出力される映像信号２２０について、放送受信波より検出されたテレビジョン方式に合わせてテレビジョン方式を変換し、映像信号出力より変換後の映像信号２２２をテレビ受像器４に出力する。画像端末装置２１の映像信号出力から出力される映像信号２２２としては、基地局１より送信された画像データを受信して復号した映像信号、カメラ部２１４で撮像した映像信号、受信した映像信号や撮像した映像信号を画像記録部２６１に一旦記録した映像信号などが用いられる。そして、これらの映像信号による映像がテレビ受像器４により再生表示される。
【００３４】
このように第１実施形態によれば、テレビ放送受信部とテレビジョン方式検出部、及びテレビジョン方式変換部を設けることにより、映像機器を使用している場所で放送されているテレビジョン方式を識別し、映像信号出力に接続するテレビ受像器が対応しているテレビジョン方式を識別することができ、テレビジョン方式が適合するように切り換えることができる。
【００３５】
［第２実施形態］
図３は本発明の第２実施形態に係る画像端末装置を含む映像再生システムの構成を示すブロック図である。
【００３６】
第２実施形態の画像端末装置２２は、画像データを含む通信データを転送する通信用の基地局１との間で通信波を送受信する機能と、自端末がある現在位置を検出する機能を有している。また、画像端末装置２２はテレビ受像器４と接続され、映像信号を出力してテレビ受像器４において映像を再生表示するための映像信号出力機能を有している。
【００３７】
この画像端末装置２２は、自端末がある現在位置を検出する端末位置検出部（位置検出手段に相当する）２１７、端末位置検出部２１７より出力される位置情報を用いてその地域で使用されているテレビジョン方式を判定するテレビジョン方式判定部（テレビジョン方式判定手段に相当する）２１８、テレビジョン方式判定部２１８の判定結果を基に出力されるテレビジョン方式切換信号２２１によって映像信号のテレビジョン方式を異なるテレビジョン方式に変換するテレビジョン方式変換部（テレビジョン方式変換手段に相当する）２０４を備えている。
【００３８】
また、画像端末装置２２は、画像通信のための通信データを含む通信波を受信する通信系高周波受信部２０５、通信系高周波受信部２０５の高周波出力を検波してベースバンド処理することで通信データを復調、復号化する通信系復号化部２０６、通信系復号化部２０６より出力されるビットストリームから画像データを復号して再生用の映像信号２２０を生成する画像復号化部２０７、この映像信号２２０を表示するための液晶ディスプレイ等からなる画像表示部２０８を備えている。また、通信系復号化部２０６より出力されるビットストリームから音声データを復号して再生用の音声信号を生成する音声復号化部２０９、この音声信号を再生出力するスピーカ２１０を備えている。
【００３９】
さらに、画像端末装置２２は、被写体画像を撮像するためのカメラ部２１４、カメラ部２１４からの撮像出力をデジタルの画像データに変換する画像符号化部２１３、音声を入力して電気信号の音声信号に変換するマイク２１６、マイク２１６からの音声信号をデジタルの音声データに変換する音声符号化部２１５、画像符号化部２１３からの画像データと音声符号化部２１５からの音声データによるビットストリームを符号化、変調する通信系符号化部２１２、変調された通信データを送信する通信系高周波送信部２１１、カメラ部２１４で撮像した画像データまたは通信系高周波受信部２０５で受信した画像データを記録する画像記録部２６１を備えている。
【００４０】
図４は第２実施形態におけるテレビジョン方式判定部２１８を含む主要部の構成を示すブロック図である。テレビジョン方式判定部２１８は、端末位置検出部２１７の出力の位置情報より緯度データと経度データを分離または生成する緯度経度データ分離部２４１を備えている。また、緯度経度データ分離部２４１から出力される緯度・経度データがＮＴＳＣ方式の使用地域であるかを判定するＮＴＳＣ方式地域判定部２４２と、ＰＡＬ方式の使用地域であるかを判定するＰＡＬ方式地域判定部２４３と、ＳＥＣＡＭ方式の使用地域であるかを判定するＳＥＣＡＭ方式地域判定部２４４とを備えている。さらに、地域判定部２４２〜２４４の出力をデコードしてテレビジョン方式切換信号２２１として出力するデコーダ２４５を備えている。
【００４１】
次に、上記のように構成された画像端末装置２２におけるテレビジョン方式の切り換え動作を図３及び図４に基づいて説明する。
【００４２】
まず、端末位置検出部２１７は、ＧＰＳからの信号を受信して緯度及び経度等の位置情報を出力する。なお、端末位置検出部２１７は複数の基地局からの電波の到来時間や受信レベルから基地局の方角や距離を推定し、三角測量の原理で緯度及び経度を算出して出力してもよい。
【００４３】
テレビジョン方式判定部２１８は、端末位置検出部２１７より出力される位置情報から現在位置の緯度及び経度を抽出し、その地域で使用されているテレビジョン方式を判定する。このとき、まず、緯度経度データ分離部２４１によって端末位置検出部２１７より出力される位置情報から緯度データと経度データを取り出す。そして、地域判定部２４２〜２４４において、ＮＴＳＣ方式、ＰＡＬ方式、ＳＥＣＡＭ方式のそれぞれのテレビジョン方式が使用されている地域の緯度・経度範囲をデータとして蓄積しておき、入力される緯度データ及び経度データと比較して該当テレビジョン方式の使用されている地域かどうかを判定する。この場合、予め記憶している各テレビジョン方式の緯度・経度範囲データと検出された緯度データ及び経度データとを照合し、該当する地域であれば論理“１”を出力するような３つのテレビジョン方式に対応した地域判定部２４２、２４３、２４４を設けるようにする。
【００４４】
デコーダ２４５は、各テレビジョン方式の地域判定部２４２〜２４４の出力をデコードしてテレビジョン方式切換信号２２１を出力するものである。例えば、テレビジョン方式変換部２０４が３つのテレビジョン方式を２ビットの信号で区別しているとすると、地域判定部２４２〜２４４の論理出力を３ｔｏ２で変換するデコーダを用いればよい。これにより、テレビジョン方式を表す２ビットのテレビジョン方式切換信号２２１がテレビジョン方式判定部２１８より出力される。
【００４５】
テレビジョン方式変換部２０４は、テレビジョン方式検出部２０３の出力に基づき、画像復号化部２０７から出力される映像信号２２０について、検出した現在地域により判定されたテレビジョン方式に合わせてテレビジョン方式を変換し、映像信号出力より変換後の映像信号２２２をテレビ受像器４に出力する。画像端末装置２１の映像信号出力から出力される映像信号２２２としては、基地局１より送信された画像データを受信して復号した映像信号、カメラ部２１４で撮像した映像信号、受信した映像信号や撮像した映像信号を画像記録部２６１に一旦記録した映像信号などが用いられる。そして、これらの映像信号による映像がテレビ受像器４により再生表示される。
【００４６】
このように第２実施形態によれば、端末位置検出部とテレビジョン方式地域判定部、及びテレビジョン方式変換部を設けることにより、映像機器を使用している位置を検出してその地域で使用されているテレビジョン方式を判定し、映像信号出力に接続するテレビ受像器が対応しているテレビジョン方式を識別することができ、テレビジョン方式が適合するように切り換えることができる。
【００４７】
［第３実施形態］
図５は本発明の第３実施形態に係る画像端末装置を含む映像再生システムの構成を示すブロック図である。
【００４８】
第３実施形態の画像端末装置２３は、画像データを含む通信データを転送する通信用の基地局１１との間で通信波を送受信する機能を有している。また、画像端末装置２３はテレビ受像器４と接続され、映像信号を出力してテレビ受像器４において映像を再生表示するための映像信号出力機能を有している。
【００４９】
この画像端末装置２３は、画像通信のための通信データを含む通信波を受信する通信系高周波受信部（通信波受信手段に相当する）２０５、通信系高周波受信部２０５の高周波出力を検波してベースバンド処理することで通信データを復調、復号化する通信系復号化部（通信波復調手段に相当する）２０６、通信系復号化部２０６より出力されるビットストリームから画像データを復号して再生用の映像信号２２０を生成する画像復号化部２０７、この映像信号２２０を表示するための液晶ディスプレイ等からなる画像表示部２０８を備えている。また、通信系復号化部２０６より出力されるビットストリームから音声データを復号して再生用の音声信号を生成する音声復号化部２０９、この音声信号を再生出力するスピーカ２１０を備えている。
【００５０】
さらに、画像端末装置２３は、通信系復号化部２０６の出力に多重されているテレビジョン方式識別データを分離し、テレビジョン方式切換信号２２１として出力するテレビジョン方式データ分離部（テレビジョン方式データ分離手段に相当する）２１９、テレビジョン方式データ分離部２１９より出力されるテレビジョン方式切換信号２２１によって映像信号のテレビジョン方式を異なるテレビジョン方式に変換するテレビジョン方式変換部（テレビジョン方式変換手段に相当する）２０４を備えている。
【００５１】
また、画像端末装置２３は、被写体画像を撮像するためのカメラ部２１４、カメラ部２１４からの撮像出力をデジタルの画像データに変換する画像符号化部２１３、音声を入力して電気信号の音声信号に変換するマイク２１６、マイク２１６からの音声信号をデジタルの音声データに変換する音声符号化部２１５、画像符号化部２１３からの画像データと音声符号化部２１５からの音声データによるビットストリームを符号化、変調する通信系符号化部２１２、変調された通信データを送信する通信系高周波送信部２１１、カメラ部２１４で撮像した画像データまたは通信系高周波受信部２０５で受信した画像データを記録する画像記録部２６１を備えている。
【００５２】
一方、基地局１１は、その地域で使用されているテレビジョン方式を設定するためのテレビジョン方式識別データを出力するテレビジョン方式設定部１０１と、上位のネットワーク３より転送された下りの通信データ１０３に前記テレビジョン方式識別データを多重するデータ多重部１０２と、このテレビジョン方式識別データが多重化された下りの通信データ１０４を画像端末装置２３へ送信する無線送受信機能を有する送受信部１０５とを備えている。
【００５３】
図６は第３実施形態における基地局１１及び画像端末装置２３の主要部の構成を示すブロック図である。基地局１１において、テレビジョン方式設定部１０１は、３つのテレビジョン方式を２ビットの情報で表されるテレビジョン方式識別データ１１５として出力するためのスイッチ１１１、１１２を備えている。また、データ多重部１０２は、ネットワーク３から送信されてくる下りの通信データ１０３を格納する第１のレジスタ１２１と、このレジスタ１２１の出力と前記テレビジョン方式設定部１０１の出力とを格納する第２のレジスタ１２２とを備えている。一方、画像端末装置２３のテレビジョン方式データ分離部２１９は、通信系復号化部２０６の出力を格納して分離出力するレジスタ２５１を備えている。
【００５４】
次に、上記のように構成された画像端末装置２３におけるテレビジョン方式の切り換え動作を図５及び図６に基づいて説明する。
【００５５】
まず、基地局１１側の動作について述べる。テレビジョン方式設定部１０１は、論理“１”または“０”を設定できる２つのスイッチ１１１、１１２によってそれぞれ１ビットの信号１１５ａ、１１５ｂを出力することで、ＮＴＳＣ方式、ＰＡＬ方式、ＳＥＣＡＭ方式の３つのテレビジョン方式のいずれかを表す２ビットのテレビジョン方式識別データ１１５として出力する。また、データ多重部１０２は、ネットワーク３から送信されてくる下りの通信データ１０３に、テレビジョン方式設定部１０１から出力されるテレビジョン方式識別データ１１５を付加する。このとき、ネットワーク３からの多重前の通信データ１０３をシリアルデータとした場合に、この通信データ１０３を一旦シフトレジスタ１２１に格納してパラレルデータに変換して、シフトレジスタ１２１よりも２ビット長いシフトレジスタ１２２にこのパラレルデータをそのまま格納し直す。シフトレジスタ１２２の先頭には、テレビジョン方式設定部１０１から送られる２ビットのテレビジョン方式識別データ１１５を格納する。そして、シフトレジスタ１２２では格納したパラレルデータをシリアルデータに戻して出力し、テレビジョン方式識別データ多重後の通信データ１０４を生成する。
【００５６】
テレビジョン方式識別データ多重後の通信データ１０４は、基地局１１の送受信部１０５より送信され、通信波として空間を伝搬して画像端末装置２３の通信系高周波受信部２０５で受信される。この受信信号は通信系復号化部２０６で復号化され、テレビジョン方式データ分離部２１９に入力される。テレビジョン方式データ分離部２１９では、テレビジョン方式識別データが多重化された復号データをシフトレジスタ２５１にシリアルで入力して格納し、パラレルデータに変換する。このシフトレジスタ２５１上のパラレルデータにおいて、基地局１１側で付加した２ビットのテレビジョン方式識別データ１１５は、シフトレジスタ２５１の先頭２ビットに現れるので、この２ビットのデータ２２１ａ、２２１ｂをテレビジョン方式切換信号２２１として使用し、テレビジョン方式変換部２０４に出力する。
【００５７】
テレビジョン方式変換部２０４は、テレビジョン方式データ分離部２１９の出力に基づき、画像復号化部２０７から出力される映像信号２２０について、通信データに多重されたテレビジョン方式識別データに基づくテレビジョン方式に合わせてテレビジョン方式を変換し、映像信号出力より変換後の映像信号２２２をテレビ受像器４に出力する。画像端末装置２１の映像信号出力から出力される映像信号２２２としては、基地局１より送信された画像データを受信して復号した映像信号、カメラ部２１４で撮像した映像信号、受信した映像信号や撮像した映像信号を画像記録部２６１に一旦記録した映像信号などが用いられる。そして、これらの映像信号による映像がテレビ受像器４により再生表示される。
【００５８】
このように第３実施形態によれば、基地局側にテレビジョン方式設定部とデータ多重部を設け、画像端末装置側にテレビジョン方式データ分離部、及びテレビジョン方式変換部を設けることにより、基地局側で多重化されたテレビジョン方式識別データに基づいて映像機器を使用している場所で使用されているテレビジョン方式を識別し、映像信号出力に接続するテレビ受像器が対応しているテレビジョン方式を識別することができ、テレビジョン方式が適合するように切り換えることができる。
【００５９】
上述したように、本実施形態では、放送波のサブキャリア周波数と垂直同期信号周波数、または映像機器の位置情報、あるいは基地局側で多重したテレビジョン方式識別データに基づいて、映像機器において現在位置で使用されているテレビジョン方式を自動的に識別し、映像機器より出力する映像信号のテレビジョン方式を接続するテレビ受像器に適合したテレビジョン方式に変換することができる。このため、映像機器の使用者が複数のテレビジョン方式に対応した複数の映像機器を準備したり、映像機器を使用する地域のテレビジョン方式に合わせて手動でテレビジョン方式を切り換えたりする必要がなく、映像信号出力を手間なく容易に適切なテレビジョン方式に変換できる。よって、テレビジョン方式が異なる世界各地において、使用者はテレビジョン方式を意識することなく現地にあるテレビ受像器に映像機器を接続するだけで自動的にテレビジョン方式の変換が行われ、テレビジョン方式が異なる映像情報であってもテレビ受像器において適切な状態で再生表示することができる。
【００６０】
なお、本発明は上述した実施形態に何ら限定されるものではなく、その要旨を逸脱しない範囲において種々の態様で実施し得るものである。上記の第１〜第３実施形態では画像端末装置の構成例を示したが、これに限らず、映像信号出力を持つ他の映像機器、例えば、撮像装置、ビデオカメラ、デジタルスチルカメラ、ノート型パソコン等、種々の可搬型の映像機器に適用して、これらの映像機器に本実施形態の主要部の構成を設けて実現可能である。
【００６１】
【発明の効果】
以上説明したように本発明によれば、使用者がテレビジョン方式を意識することなく、適切なテレビジョン方式に自動的に切り換えて映像の再生を行うことが可能な映像処理装置を提供することができる。
【図面の簡単な説明】
【図１】本発明の第１実施形態に係る画像端末装置を含む映像再生システムの構成を示すブロック図
【図２】第１実施形態におけるテレビジョン方式検出部を含む主要部の構成を示すブロック図
【図３】本発明の第２実施形態に係る画像端末装置を含む映像再生システムの構成を示すブロック図
【図４】第２実施形態におけるテレビジョン方式判定部を含む主要部の構成を示すブロック図
【図５】本発明の第３実施形態に係る画像端末装置を含む映像再生システムの構成を示すブロック図
【図６】第３実施形態における基地局及び画像端末装置の主要部の構成を示すブロック図
【図７】従来のテレビジョン方式切り換え装置の構成例を示すブロック図
【符号の説明】
１、１１　基地局
４　テレビ受像器
５　放送局
２１、２２、２３　画像端末装置
１０１　テレビジョン方式設定部
１０２　データ多重部
２０１　放送系高周波受信部
２０２　放送系復号化部
２０３　テレビジョン方式検出部
２０４　テレビジョン方式変換部
２０５　通信系高周波受信部
２０６　通信系復号化部
２０７　画像復号化部
２０８　画像表示部
２１７　端末位置検出部
２１８　テレビジョン方式判定部
２１９　テレビジョン方式データ分離部
２６１　画像記録部
【図１】
2004135157.tif 000004
【図２】
2004135157.tif 000005
【図３】
2004135157.tif 000006
【図４】
2004135157.tif 000007
【図５】
2004135157.tif 000008
【図６】
2004135157.tif 000009
【図７】
2004135157.tif 000010